(57)【要約】【課題】  筐体に対する受光ユニットの取付け角度を容易に調整することができる光通信装置およびその組み立て方法を提供する。【解決手段】  受光ホルダ２１は、当接部２１ｃと溶接部２１ｄを有し、溶接部２１ｄからリング状の突起２１ｅが突出している。突起２１ｅはその断面形状が先部に向かうにしたがって細くなっている。受光ユニット２２を構成するケース２３のキャップ部２３ｂを受光ホルダ２１の貫通穴２１ｂに挿入し、突起２１ｅをケース２３のフランジ部２３ａに当接させ、下部電極３１と上部電極３２との間で電流を与えて突起２１ｅとフランジ部２３ａを抵抗溶接する。このとき、下部電極３１の対向面３１ａと上部電極３２の対向面３２ａとの間に角度γを与えることにより、受光ホルダ２１と受光ユニット２２とを、角度調整して溶接することができる。【選択図】図４
2012027353.tif 000002
【特許請求の範囲】
【請求項１】
金属製のフランジ部を有するケースと、前記ケースに支持された受光素子と、前記ケースを金属製の筐体に固定する金属製のホルダと、前記受光素子に光を導く光路とを有する光通信装置において、
前記ホルダが、貫通穴と、前記貫通穴の一方の開口部の周囲に形成された当接部と、他方の開口部の周囲に形成された溶接部とを有し、前記溶接部に、先部に向かうにしたがって断面積が小さくなる突起が一体に形成されており、
前記突起が前記フランジ部に押し当てられ、前記突起が溶融して前記ホルダと前記フランジ部とが溶接されているとともに、前記突起の一部が残されて、前記ケースの中心線に対する前記ホルダの前記当接部の傾き角度が調整されており、
前記当接部が前記筐体に当接して前記ホルダと前記筐体とが固定され、前記受光素子と前記光路との対向角度が、前記傾き角度に応じて決められていることを特徴とする光通信装置。
【請求項２】
溶融後の前記突起の高さに応じて、前記フランジ部と前記ホルダの前記当接部との間隔が決められて、前記受光素子と前記光路との距離が設定されている請求項１記載の光通信装置。
【請求項３】
前記溶接部では、前記突起が、前記中心線の回りに連続してまたは間欠的に形成されている請求項１または２記載の光通信装置。
【請求項４】
貫通穴と、前記貫通穴の一方の開口部の周囲に形成された当接部と、他方の開口部の周囲に形成された溶接部とを有し、前記溶接部に先部に向かうにしたがって断面積が小さくなる突起が一体に形成された金属製のホルダを使用し、
前記ケースに設けられた金属製のフランジ部に前記突起を押し当てて前記ホルダと前記フランジ部に電流を与え、前記突起を溶融して前記ホルダと前記フランジ部とを溶接するとともに、溶接時に前記フランジと前記ホルダとの傾き角度を調整し、
その後、前記当接部を前記筐体に当接させて前記ホルダと前記筐体とを固定し、前記受光素子と前記光路との対向角度を、前記傾き角度に応じて設定することを特徴とする光通信装置の組み立て方法。
【請求項５】
前記突起の溶融時の高さに応じて、前記フランジ部と前記ホルダの前記当接部との間隔を決めて、前記受光素子と前記光路との距離を設定する請求項４記載の光通信装置の組み立て方法。
【請求項６】
前記ホルダの前記当接部を前記筐体に当接させ、前記ホルダを前記中心線と直交する向きに移動させて調整した後に、前記ホルダと前記筐体とを固定する請求項４または５記載の光通信装置の組み立て方法。
【請求項７】
前記突起が、前記中心線の回りに連続してまたは間欠的に形成された前記ホルダを使用する請求項４ないし６のいずれかに記載の光通信装置の組み立て方法。
【発明の詳細な説明】
【技術分野】
【０００１】
本発明は、ケースに受光素子が収納された受光ユニットが、位置を調整して筐体に取付けられ、光ファイバーなどの光路を辿る光が前記受光素子で受光される光通信装置およびその組み立て方法に関する。
【背景技術】
【０００２】
受光素子を有する光通信装置は、ケースに受光素子が収納された受光ユニットが筐体に取付けられるとともに、光路を形成する光ファイバーが筐体に装着されて、光ファイバーから前記受光素子に光が与えられる。
【０００３】
特許文献１に記載された光通信モジュールは、光ファイバーが装着される筐体に穴が形成され、受光素子を支持したケースが前記穴に挿入されて取付けられている。特許文献２に記載された光モジュールは、筐体の側面に保持部材が取付けられており、この保持部材に貫通して形成された穴に、受光素子を支持するケースが挿入されて固定されている。
【先行技術文献】
【特許文献】
【０００４】
【特許文献１】特開平９−２１１２５８号公報
【特許文献２】特開２００５−１６４９７１号公報
【発明の概要】
【発明が解決しようとする課題】
【０００５】
この種の光通信装置は、光ファイバーを含む光路から与えられる光の光軸と受光素子とがなるべく一致するように、受光素子を支持するケースを筐体に位置決めして固定することが必要である。
【０００６】
特許文献１に記載された光通信モジュールは、筐体に開口する穴に、受光素子を支持するケースが挿入されて固定されている構造であるため、前記ケースをその中心線と交叉する方向へ移動させて、光ファイバーから送られる光の光軸に対して受光素子を一致させる調整が可能である。しかしながら、受光素子を光軸方向へ移動させる調整や、光軸と受光素子との対向角度を可変する調整を行うことはできない。
【０００７】
特許文献２に記載された光モジュールは、筐体の側面に固定される保持部材を光軸と直交する向きに移動させることで、光軸と交叉する方向で受光素子の位置調整を行うことが可能であるが、受光素子の光軸方向での位置の調整や、光軸に対する受光素子の傾き角度の調整を行うことができない。
【０００８】
特許文献２に記載された光モジュールにおいて、受光素子の光軸方向での位置の調整や、光軸に対する受光素子の傾き角度の調整を行おうとすると、厚さの相違する複数の保持部材や、貫通穴の角度が相違する複数保持部材を用意して、いずれか最適な保持部材を選択して組み立てを行うことが必要となる。しかし、厚さの相違する保持部材や貫通穴の角度が相違する複数の保持部材を用意することで製造コストが高くなる。また、複数の保持部材の管理が煩雑になり、いずれかの保持部材を選択して組み付けるという作業も煩雑になって、受光素子の取付け位置を調整するための工数が多くなる。
【０００９】
本発明は上記従来の課題を解決するものであり、単一形状のホルダを使用して、受光素子を、光軸に対して傾ける調整や、光軸の方向へ移動させる調整が可能な光通信装置およびその組み立て方法を提供することを目的としている。
【課題を解決するための手段】
【００１０】
本発明は、金属製のフランジ部を有するケースと、前記ケースに支持された受光素子と、前記ケースを金属製の筐体に固定する金属製のホルダと、前記受光素子に光を導く光路とを有する光通信装置において、
前記ホルダが、貫通穴と、前記貫通穴の一方の開口部の周囲に形成された当接部と、他方の開口部の周囲に形成された溶接部とを有し、前記溶接部に、先部に向かうにしたがって断面積が小さくなる突起が一体に形成されており、
前記突起が前記フランジ部に押し当てられ、前記突起が溶融して前記ホルダと前記フランジ部とが溶接されているとともに、前記突起の一部が残されて、前記ケースの中心線に対する前記ホルダの前記当接部の傾き角度が調整されており、
前記当接部が前記筐体に当接して前記ホルダと前記筐体とが固定され、前記受光素子と前記光路との対向角度が、前記傾き角度に応じて決められていることを特徴とするものである。
【００１１】
本発明の光通信装置は、ホルダの溶接部に一体に形成された突起の溶融状態または溶融量を変化させることで、受光素子の設置角度の調整が可能である。
【００１２】
本発明は、溶融後の前記突起の高さに応じて、前記フランジ部と前記ホルダの前記当接部との間隔が決められて、前記受光素子と前記光路との距離が設定されているものとすることが可能である。
【００１３】
上記のように突起の溶融状態または溶融量を変化させて溶融後の突起の高さを調整することで、受光素子の光軸方向への位置の調整も可能になる。
【００１４】
本発明は、前記溶接部では、前記突起が、前記中心線の回りに連続してまたは間欠的に形成されているものとして構成できる。
【００１５】
本発明の光通信装置の組み立て方法は、貫通穴と、前記貫通穴の一方の開口部の周囲に形成された当接部と、他方の開口部の周囲に形成された溶接部とを有し、前記溶接部に先部に向かうにしたがって断面積が小さくなる突起が一体に形成された金属製のホルダを使用し、
前記ケースに設けられた金属製のフランジ部に前記突起を押し当てて前記ホルダと前記フランジ部に電流を与え、前記突起を溶融して前記ホルダと前記フランジ部とを溶接するとともに、溶接時に前記フランジと前記ホルダとの傾き角度を調整し、
その後、前記当接部を前記筐体に当接させて前記ホルダと前記筐体とを固定し、前記受光素子と前記光路との対向角度を、前記傾き角度に応じて設定することを特徴とするものである。
【００１６】
本発明の光通信装置の組み立て方法は、前記突起の溶融時の高さに応じて、前記フランジ部と前記ホルダの前記当接部との間隔を決めて、前記受光素子と前記光路との距離を設定することが可能である。
【００１７】
また、本発明の光通信装置の組み立て方法は、前記ホルダの前記当接部を前記筐体に当接させ、前記ホルダを前記中心線と直交する向きに移動させて調整した後に、前記ホルダと前記筐体とを固定するものである。
【００１８】
本発明は、前記突起が、前記中心線の回りに連続してまたは間欠的に形成された前記ホルダを使用することが好ましい。
【発明の効果】
【００１９】
本発明の光通信装置およびその組み立て方法は、単一形状のホルダを使用し、ホルダとフランジ部とを溶接するときに、ホルダから延びる突起の溶融状態または溶融量を可変させることで、光ファイバーやフィルタなどを有する光路に対する受光素子の対向角度を調整でき、また受光素子の光軸上での位置を調整することが可能である。
【００２０】
本発明は、厚さが相違するホルダや貫通穴の角度が相違するホルダあるいは両側の面の角度が相違するホルダを複数種用意して、いずれかを選択して使用するという調整作業が不要であるため、部品の加工費を低減できる。また複数種のホルダの管理や複数種のホルダのいずれかを選択して溶接するという煩雑な工程を無くすことができる。
【図面の簡単な説明】
【００２１】
【図１】本発明の実施の形態の光通信装置を示す断面図、
【図２】筐体に取付けられる受光素子の調整作業の説明図、
【図３】（Ａ）はホルダの断面図、（Ｂ）はホルダの一部拡大断面図、
【図４】ホルダとフランジ部との溶接作業の説明図、
【図５】ホルダとフランジ部が溶接された状態を示す断面図、
【図６】光路の受光素子との角度ずれと結合効率との関係を示す線図、
【発明を実施するための形態】
【００２２】
図１に示す光通信装置１は、フェライト系ステンレス鋼などの金属で形成された筐体２を有している。筐体２の図示右側の外面はファイバー取付け面２ａであり、ファイバー取付け面２ａから筐体２の内部に向けてファイバー装着穴３が形成されている。
【００２３】
光ファイバー１１の先部はフェルール１２に保持されている。フェルール１２はフェライト系ステンレス鋼で形成されたフェルールホルダ１３に保持されている。フェルール１２の先部がファイバー装着穴３に挿入された状態で、フェルールホルダ１３のフランジ部１３ａがファイバー取付け面２ａに密着し、フェルールホルダ１３と筐体２とがレーザ溶接などで固定されている。
【００２４】
フェルール１２の先部１４は斜めに形成されている。光ファイバー１１の先端面はその軸線の垂直面に対して斜めにカットされて、その先端面が前記先部１４から内部空間５に露出している。光ファイバー１１の中心を通る光路Ｌ１は、光ファイバー１１の斜めの先端面を通過することでやや屈曲させられてから内部空間５に与えられる。
【００２５】
筐体２の図示左側の外面は発光取付け面２ｂであり、発光取付け面２ｂから筐体２の内部に向けて光路穴４が開口している。
【００２６】
発光取付け面２ｂに発光ホルダ１５が取付けられている。発光ホルダ１５はフェライト系ステンレス鋼などの金属で形成されている。発光ホルダ１５内には、集光レンズ１７を保持した鏡筒１６が固定されている。発光ホルダ１５には発光ユニット１８が保持されている。発光ユニット１８は、フェライト系ステンレス鋼などの金属で形成されたケース１８ａの内部にレーザダイオードなどの発光素子１９が支持されている。
【００２７】
発光ホルダ１５を、筐体２の発光取付け面２ｂに密着して、発光ホルダ１５を発光軸Ｌ２と直交する方向へ移動させ、発光軸Ｌ２を前記光路Ｌ１などに一致させる調整が行われ、この調整の後に、発光ホルダ１５と筐体２とがレーザ溶接などで固定される。
【００２８】
筐体２の図示上面は第１の受光取付け面２ｃで、図示下面は第２の受光取付け面２ｄである。第１の受光取付け面２ｃに第１の受光ホルダ２１が固定されている。第１の受光ホルダ２１はフェライト系ステンレス鋼などの金属で形成されており、第１の受光ホルダ２１に、第１の受光ユニット２２が固定されている。第１の受光ユニット２２は、フェライト系ステンレス鋼などの金属で形成されたケース２３の内部にピンフォトダイオードなどの受光素子２４と受光レンズ２５が保持されている。
【００２９】
第１の受光ホルダ２１とケース２３とが溶接されて固定されており、第１の受光ホルダ２１が、第１の受光取付け面２ｃに密着して、第１の受光ホルダ２１と筐体２とが溶接されて固定されている。
【００３０】
第２の受光取付け面２ｄに第２の受光ホルダ２６が固定されている。第２の受光ホルダ２６はフェライト系ステンレス鋼などの金属で形成されており、第２の受光ホルダ２６に、第２の受光ユニット２７が固定されている。第２の受光ユニット２７は、フェライト系ステンレス鋼などの金属で形成されたケース２８の内部にピンフォトダイオードなどの受光素子２９と受光レンズ３０が保持されている。
【００３１】
第２の受光ホルダ２６とケース２８とが溶接されて固定されており、第２の受光ホルダ２６が、第２の受光取付け面２ｄに密着して、第２の受光ホルダ２６と筐体２とが溶接されて固定されている。
【００３２】
筐体２の内部空間５には、２つの波長分離フィルタ３３，３４が固定されて設けられている。２つの波長分離フィルタ３３，３４は、内部空間５に設けられた透明な支持台３５上に固定されている。
【００３３】
この光通信装置１においてデータを送信するときは、発光ユニット１８の発光素子１９から発せられるレーザ光が送信データで変調され、光ファイバー１１の内部に送り出される。
【００３４】
この光通信装置１は、波長多重のレーザ光を受信することができる。光ファイバー１１で送られた第１の波長帯の光成分は、第１の波長分離フィルタ３３で分離されて第１の分岐光路Ｌ３を辿り、第１の受光ユニット２２の受光素子２４で受光され、その後に受信信号が復調される。光ファイバー１１で送られた第２の波長帯の光成分は、第２の波長分離フィルタ３４で分離されて第２の分岐光路Ｌ４を辿り、第２の受光ユニット２７の受光素子２９で受光され、その後に受信信号が復調される。
【００３５】
図１に示す光通信装置１は、第１の波長分離フィルタ３３で分離される光成分で伝送されるデータが画像データであり、第２の波長分離フィルタ３４で分離される光成分で伝送されるデータが画像データ以外の通信データなどである。
【００３６】
第１の受光ユニット２２を筐体２に取付けるときに、受光素子２４が第１の分岐光路Ｌ３の中心線上に位置するように調整することが必要である。同様に、第２の受光ユニット２７を筐体２に取付けるときに、受光素子２９が第２の分岐光路Ｌ４の中心線上に位置するように調整することが必要である。さらに、第１の受光ユニット２２の図示上下方向での固定位置を可変して、第１の分岐光路Ｌ３上での受光素子２４と受光レンズ２５の位置を調整して、受信する光を受光素子２４に結像させることが必要である。これは、第２の受光ユニット２７の取付けにおいても同じである。
【００３７】
さらに、第１の受光ユニット２２で受光する光成分で伝送される信号は画像データであるため、光を変調しているデータの密度と伝送レートが高い。そのため、第１の受光ユニット２２の受光素子２４を第１の分岐光路Ｌ３の中心線上に一致させるだけではなく、第１の受光ユニット２２と第１の分岐光路Ｌ３との対向角度も調整することが必要である。
【００３８】
図２に示すように、光ファイバー１１を保持しているフェルール１２の取付け姿勢の回転方向（α方向）の公差、支持台３５の寸法精度、支持台３５への第１の波長分離フィルタ３３の取付け公差などの累積によって、第１の分岐光路Ｌ３の中心線に傾き角度の公差β１が発生する。一方、第１の受光ユニット２２では、ケース２３内での受光素子２４の取付け位置の交差および受光レンズ２５の取付け公差などにより、受光素子２４が受光する際の最適な光軸Ｌ５と、ケース２３の中心線Ｏ１との間に角度公差β２が発生する。
【００３９】
よって、第１の受光ユニット２２を筐体２に取付ける際に、受光素子２４の受光光軸Ｌ５と、第１の分岐光路Ｌ３との間に、最大でβ１＋β２の角度ずれが発生する。
【００４０】
図６は、横軸に角度ずれ（β１＋β２）をとり、縦軸に結合効率を示している。結合効率は、角度ずれがゼロのときに第１の受光ユニット２２の受光素子２４が受光した受光出力を「１」とし、角度ずれが生じたときの受光出力を前記「１」との比として表わしている。図６に示すように、角度ずれが２度あると、結合効率は９３％程度まで低下する。
【００４１】
したがって、画像データで変調された光を検知する第１の受光ユニット２２を筐体２に取付けるときに、前記角度ずれを解消できるように、傾きを調整することが必要である。
【００４２】
そこで、本発明の実施の形態では、図３に示す構造の第１の受光ホルダ２１を使用している。
【００４３】
図３（Ａ）に示すように、第１の受光ホルダ２１は、円筒状の外周面２１ａと厚さ方向に貫通する貫通穴２１ｂを有している。貫通穴２１ｂは断面が円形であり、貫通穴２１ｂの中心と外周面２１ａの中心は共通の中心線Ｏ２の上に位置している。貫通穴２１ｂの一方の開口端の周囲は、筐体２の第１の受光取付け面２ｃに当接する当接部２１ｃであり、他方の開口端の周囲は、第１の受光ユニット２２のケース２３に設けられたフランジ部２３ａに溶接される溶接部２１ｄである。当接部２１ｃと溶接部２１ｄのそれぞれは、互いに平行で且つ中心線Ｏ２と直交する平面である。
【００４４】
図３（Ａ）に示すように、溶接部２１ｄから突起２１ｅが一体に突出している。突起２１ｅは、中心線Ｏ２に中心を有する円弧軌跡に沿って３６０度の全周にわたって連続して形成されている。図３（Ｂ）に示すように、突起２１ｅは、その断面積が溶接部２１ｄの平面から離れるにしたがって徐々に小さくなるように形成されている。すなわち、中心線Ｏ２を含む面で切断したときに、突起２１ｅの幅寸法は、溶接部２１ｄの平面から離れるにしたがって徐々に細くなるように形成されている。
【００４５】
第１の受光ホルダ２１の貫通穴２１ｂの内径寸法φは４〜１０ｍｍ程度であり、突起２１ｅの高さ寸法ｈは０．１〜０．６ｍｍ程度、突起２１ｅの対向面の角度θは２０〜４５度程度である。また、突起２１ｅは、頂点の幅寸法ｔが０．０５ｍｍ以下、好ましくは０．０２ｍｍ以下となるように先鋭な形状に加工されている。
【００４６】
図４は、第１の受光ホルダ２１に第１の受光ユニット２２を固定するときの溶接作業を示している。
【００４７】
第１の受光ホルダ２１は、フェライト系ステンレス鋼などの抵抗溶接が可能な導電性の金属材料で形成されている。第１の受光ユニット２２のケース２３は、フランジ部２３ａと、受光素子２４および受光レンズ２５を収納するキャップ部２３ｂを有しているが、少なくともフランジ部２３ａが、フェライト系ステンレス鋼などの抵抗溶接が可能な導電性の金属材料で形成されている。
【００４８】
図４に示すように、抵抗溶接装置は下部電極３１と上部電極３２を有している。下部電極３１は、上面が対向面３１ａであり、中心部に上下に貫通する逃げ穴３１ｂが形成されている。上部電極３２は、下面が対向面３２ａであり、中心部に上下に貫通する逃げ穴３２ｂが形成されている。
【００４９】
第１の受光ユニット２２は、端子部が下部電極３１の逃げ穴３１ｂに挿入され、フランジ部２３ａの背面が下部電極３１の対向面３１ａに密着するように設置される。キャップ部２３ｂは第１の受光ホルダ２１の貫通穴２１ｂに挿通され、第１の受光ホルダ２１に設けられた突起２１ｅの先端がフランジ部２３ａの前面に当接させられる。貫通穴２１ｂの内径寸法は、キャップ部２３ｂの外径寸法よりもやや大きく、キャップ部２３ｂの外側で第１の受光ホルダ２１の中心線Ｏ２を傾けることが可能である。
【００５０】
キャップ部２３ｂの上端部は上部電極３２の逃げ穴３２ｂに挿入され、上部電極３２の対向面３２ａが第１の受光ホルダ２１の当接部２１ｃに対向させられる。逃げ穴３２ｂの内径寸法は、キャップ部２３ｂの外径寸法よりもやや広く形成されており、上部電極３２をキャップ部２３ｂの中心線Ｏ１に対して傾けることが可能である。
【００５１】
溶接作業では、下部電極３１と上部電極３２とが接近して、第１の受光ホルダ２１の突起２１ｅがケース２３のフランジ部２３ａに圧接させられるとともに、下部電極３１と上部電極３２との間に電圧が印加されて、第１の受光ホルダ２１とケース２３との間に電流が供給される。電流は突起２１ｅとフランジ部２３ａとの当接部に集中し、ジュール熱により突起２１ｅの一部が溶融して、第１の受光ホルダ２１とケース２３とが溶接される。
【００５２】
図４に示すように、下部電極３１の対向面３１ａと上部電極３２の対向面３２ａとの間にわずかな角度γを設定して、上部電極３２の対向面３２ａが第１の受光ホルダ２１の当接部２１ｃに密着するまで、上部電極３２で第１の受光ホルダ２１を加圧する。この溶接作業によって、図５に示すように、第１の受光ホルダ２１の当接部２１ｃを、ケース２３の中心線Ｏ１の垂直面に対して角度γだけ傾けた状態で、第１の受光ホルダ２１とケース２３とを溶接することができる。
【００５３】
また、溶接作業において、電流を与えながら下部電極３１と上部電極３２を接近させる距離を可変することで、図５に示すように、溶接後のフランジ部２３ａの前面と第１の受光ホルダ２１の当接部２１ｃとの距離Ｈを、突起２１ｅの高さ寸法ｈの範囲で調整することが可能になる。
【００５４】
光通信装置１の組み立て作業では、図２に示すように、筐体２側に設定される第１の分岐光路Ｌ３の傾き方向と傾き角度β１を測定する。また、第１の受光ユニット２２において、ケース２３の中心線Ｏ１と光軸Ｌ５との間の傾き角度β２、ならびに受光素子２４に結像するための光軸Ｌ５上の焦点距離を測定する。
【００５５】
前記傾き角度の測定結果に応じて、角度誤差を相殺するために必要な当接部２１ｃの傾き角度γを算出し、抵抗溶接装置において、下部電極３１の対向面３１ａと上部電極３２の対向面３２ａの角度γを設定する。
【００５６】
前記焦点距離の測定結果に応じて、フランジ部２３ａの前面と当接部２１ｃまでの高さ寸法Ｈの最適値を算出する。この算出結果に応じて、溶接作業において下部電極３１と上部電極３２とを接近させるときの対向面３１ａと対向面３２ａとの対向距離を設定する。
【００５７】
上記の設定に基づいて、第１の受光ホルダ２１と第１の受光ユニット２２とを溶接した結果、図５に示すように、ケース２３の中心線Ｏ１の垂線に対する（フランジ部２３ａの前面に対する）当接部２１ｃの角度γを設定でき、さらにフランジ部２３ａの前面と当接部２１ｃとの高さＨを設定できる。
【００５８】
上記の設定に基づいて溶接作業が行われると、図５に示すように、第１の受光ホルダ２１と第１の受光ユニット２２とが溶接で固定された段階で、突起２１ｅが完全に溶融するまで潰されることは稀であり、ほとんどの場合、突起２１ｅの少なくとも一部が溶融されることなくその形を残し、フランジ部２３ａと第１の受光ホルダ２１の溶接部２１ｄとの間に、溶融していない突起２１ｅの一部が存在する。
【００５９】
下部電極３１の対向面３１ａと上部電極３２の対向面３２ａとの間に角度γを設けるための設定方法は、抵抗溶接装置において、下部電極３１を固定式とし、上部電極３１をその軸をわずかに傾けて取付けることができる調整機構が設けられる。あるいは、上部電極３２を固定式とし、下部電極３１が設置されたテーブルなどに傾き調整機構が設けられる。あるいは、対向面３２ａの傾斜角度γが相違する複数の上部電極３２を用意しておき、いずれかの上部電極３２を選択して使用してもよい。
【００６０】
なお、突起２１ｅは、リング状に連続するものであることが好ましいが、円柱上において間欠的に配置されるものであってもよい。
【００６１】
図５に示すように、第１の受光ホルダ２１と第１の受光ユニット２２とが溶接で固定された後に、図１に示すように、ケース２３のキャップ部２３ｂが筐体２の内部に挿入され、第１の受光ホルダ２１の当接部２１ｃが筐体２の第１の受光取付け面２ｃに密着させられる。この時点で、第１の受光ユニット２２の傾き角度γと、第１の受光ユニット２２の第１の分岐光路Ｌ３上の進退方向の位置が決められている。したがって、第１の受光ホルダ２１を第１の分岐光路Ｌ３と直交する方向へ微調整して、受光素子２４を、第１の分岐光路Ｌ３を辿る光の受光経路上に一致させて、第１の受光ホルダ２１と筐体２をレーザ溶接などで固定することで、第１の分岐光路Ｌ３上に対する受光素子２４の位置と、傾き角度を適正に設定できる。
【００６２】
図１に示す第２の受光ホルダ２６と第２の受光ユニット２７も、第１の受光ホルダ２１および第１の受光ユニット２２と同様に調整して組み込むことができる。第２の受光ユニット２７が比較的密度が低く転送レートの低いデータで変調した光を受光する場合には、図５に示す傾き角度γの調整を行わず、フランジ部と第２の受光ホルダ２６の当接部との高さＨだけを調整してもよい。
【００６３】
なお、本発明の光通信装置は、図１に示すように、複数の受光ユニット２２，２７を有する波長分離方式に限られるものではなく、筐体に１つの受光ユニット２２のみが取付けられるものであってもよい。または、発光ユニット１８を有しない受光専用のモジュールであってもよい。さらに、光路は、光ファイバーを含むものであってもよいし、光ファイバーを含まないものであってもよい。
【符号の説明】
【００６４】
１  光通信装置
２  筐体
１１  光ファイバー
１８  発光ユニット
２１  第１の受光ホルダ
２１ｂ  貫通穴
２１ｃ  当接部
２１ｄ  溶接部
２１ｅ  突起
２２  第１の受光ユニット
２３  ケース
２３ａ  フランジ部
２３ｂ  キャップ部
２４  受光素子
２５  受光レンズ
２６  第２の受光ホルダ
２７  第２の受光ユニット
３１  下部電極
３１ａ  対向面
３２  上部電極
３２ａ  対向面
３３，３４  波長分離フィルタ
Ｌ１  光ファイバーの光路
Ｌ２  光軸
Ｌ３  第１の分岐光路
Ｌ４  第２の分岐光路
Ｏ１  ケースの中心線
Ｏ２  第１の受光ホルダの中心線
【図１】
2012027353.tif 000003
【図２】
2012027353.tif 000004
【図３】
2012027353.tif 000005
【図４】
2012027353.tif 000006
【図５】
2012027353.tif 000007
【図６】
2012027353.tif 000008